(57)【要約】【課題】従来、耐震補強材をベランダ床スラブに連結する場合、ベランダ床スラブは一般的に耐震補強材からのせん断力を躯体に伝えるための十分な強度を有しておらず、地震の際のせん断力によってベランダ床スラブが破壊されるおそれがある。【解決手段】ベランダの床（ベランダ床スラブ１５）の上面に固定された上プレート２１と、上プレートの上面に設けられた接合部２２と、上プレートの接合部と耐震補強材の下端部とを接合した接合手段２３と、前記床の下面と該床の階下の梁とに跨るように設置されて該床の下面と該床の階下の梁とに固定された下プレート２４とを備えた。【選択図】図１
2008138410.tif 000002
【特許請求の範囲】
【請求項１】
ベランダの床の上面に固定された上プレートと、上プレートの上面に設けられた接合部と、上プレートの接合部と耐震補強材の下端部とを接合した接合手段と、前記床の下面と該床の階下の梁とに跨るように設置されて該床の下面と該床の階下の梁とに固定された下プレートとを備えたことを特徴とする既存建物と耐震補強材との接合構造。
【請求項２】
接合手段が、耐震補強材の下端部と上プレートの突出物からなる接合部との周囲を囲む筒体により構成されたことを特徴とする請求項１に記載の既存建物と耐震補強材との接合構造。
【請求項３】
接合手段が、耐震補強材の下端部と上プレートの突出物からなる接合部との周囲を囲む筒体と、前記下端部及び接合部と筒体との間に充填された固化材とにより構成されたことを特徴とする請求項１に記載の既存建物と耐震補強材との接合構造。
【請求項４】
接合手段が、耐震補強材に設けられた上側接続部と、接合部を形成する下側接続部と、上側接続部と下側接続部とを締結により連結する連結具とにより構成されたことを特徴とする請求項１に記載の既存建物と耐震補強材との接合構造。
【請求項５】
連結具が、上側接続部と下側接続部とを挟み込む挟み板と、挟み板と上側接続部とに跨って貫通する上側ボルト通し孔と、挟み板と下側接続部とに跨って貫通する下側ボルト通し孔と、上側ボルト通し孔を貫通する上側ボルトと、上側ボルトの両端部に取り付けられて上側ボルトを挟み板に固定する上側ナットと、下側ボルト通し孔を貫通する下側ボルトと、下側ボルトの両端部に取り付けられて下側ボルトを挟み板に固定する下側ナットとにより構成されたことを特徴とする請求項４に記載の既存建物と耐震補強材との接合構造。
【請求項６】
上プレートと下プレートとが、上プレートと前記床と下プレートとを貫通するボルト通し孔と、ボルト通し孔を貫通するボルトと、ボルトを上プレートに固定するナットと、ボルトを下プレートに固定するナットとを備えた連結手段によって床に固定されたことを特徴とする請求項１乃至請求項５のいずれかに記載の既存建物と耐震補強材との接合構造。
【発明の詳細な説明】
【技術分野】
【０００１】
本発明は、ベランダの床（以下、ベランダ床スラブという）を補強でき、かつ、地震時の水平力をベランダの床から階下の梁に伝達可能な既存建物と耐震補強材との接合構造に関する。
【背景技術】
【０００２】
既存建物の躯体にアンカーボルトを接合し、躯体より突出するアンカーボルトの頭部に耐震補強材を連結し、この連結部分の周囲にコンクリートやモルタルを打設することで躯体と耐震補強材とを接合した接合構造が知られている。
【特許文献１】特開平１０−１５２９９７号公報
【発明の開示】
【発明が解決しようとする課題】
【０００３】
特許文献１において、既存建物にベランダが存在する場合には、耐震補強材をベランダ床スラブに連結することが考えられる。しかしながら、ベランダ床スラブは一般的に耐震補強材からのせん断力を躯体に伝えるための十分な強度を有しておらず、地震の際のせん断力によってベランダ床スラブが破壊されるおそれがある。
【課題を解決するための手段】
【０００４】
本発明による既存建物と耐震補強材との接合構造は、ベランダの床の上面に固定された上プレートと、上プレートの上面に設けられた接合部と、上プレートの接合部と耐震補強材の下端部とを接合した接合手段と、前記床の下面と該床の階下の梁とに跨るように設置されて該床の下面と該床の階下の梁とに固定された下プレートとを備えたことを特徴とする。
接合手段が、耐震補強材の下端部と上プレートの突出物からなる接合部との周囲を囲む筒体により構成されたことも特徴とする。
接合手段が、耐震補強材の下端部と上プレートの突出物からなる接合部との周囲を囲む筒体と、前記下端部及び接合部と筒体との間に充填された固化材とにより構成されたことも特徴とする。
接合手段が、耐震補強材に設けられた上側接続部と、接合部を形成する下側接続部と、上側接続部と下側接続部とを締結により連結する連結具とにより構成されたことも特徴とする。
連結具が、上側接続部と下側接続部とを挟み込む挟み板と、挟み板と上側接続部とに跨って貫通する上側ボルト通し孔と、挟み板と下側接続部とに跨って貫通する下側ボルト通し孔と、上側ボルト通し孔を貫通する上側ボルトと、上側ボルトの両端部に取り付けられて上側ボルトを挟み板に固定する上側ナットと、下側ボルト通し孔を貫通する下側ボルトと、下側ボルトの両端部に取り付けられて下側ボルトを挟み板に固定する下側ナットとにより構成されたことも特徴とする。
上プレートと下プレートとが、上プレートと前記床と下プレートとを貫通するボルト通し孔と、ボルト通し孔を貫通するボルトと、ボルトを上プレートに固定するナットと、ボルトを下プレートに固定するナットとを備えた連結手段によって床に固定されたことも特徴とする。
【発明の効果】
【０００５】
本発明の既存建物と耐震補強材との接合構造によれば、耐震補強材の下端部をベランダ床スラブの上面に容易に接合できるとともにベランダ床スラブを補強でき、さらに、地震時にベランダ床スラブに加わる水平力が下プレートを介して階下の梁に伝達されるので、ベランダ床スラブの負担を軽減できる。
接合手段が、筒体により構成されたので、耐震補強材の下端部と接合部との接合作業を容易にできる。
接合手段が、筒体と固化材とにより構成されたので、耐震補強材の下端部と接合部との多少の位置ずれを筒体で吸収でき、接合作業を容易にできる。
接合手段が、耐震補強材の上側接続部と、接合部を形成する下側接続部と、上側接続部と下側接続部とを連結する連結具により形成されたので、接合手段の構成を簡単にできる。
上側接続部と下側接続部とを挟み込むようにして連結する連結具を備えたので、接合手段により接合された接合部の強度を大きくできる。
上プレートと下プレートとが、上プレートと床と下プレートとを貫通するボルト通し孔を貫通するボルト及びナットを備えた連結手段によってベランダ床スラブに固定されたので、上プレートと下プレートとをベランダ床スラブに同時に固定できるため、施工が容易となる。
【発明を実施するための最良の形態】
【０００６】
図１乃至図４は最良の形態１を示す。図１は、既存建物と耐震補強材との接合構造を示す断面図（図２の正面図Ａ−Ａ断面図）、図２は、既存建物と耐震補強材との接合構造を示す正面図、図３は、ベランダ床スラブの上面に固定された上プレートを上から見た平面図、図４は、耐震補強材が取付けられた建物をベランダ側から見た正面図である。
【０００７】
図４を参照し、耐震補強材が取り付けられた建物を説明する。
建物１は、既存建物２と複数の耐震補強材３とにより形成される。
耐震補強材３としては、例えば、Ｔ字形状の平板に作製されたコンクリート板が用いられる。高強度コンクリートにより形成された耐震補強材３を使用すれば、耐震強度を大きくできて好ましい。
１つ１つの耐震補強材３は、既存建物２の１つの階において、開口部１２を塞がないように、既存建物２の外部に面した開口部１２の横の柱１３の前面１４と当該柱１３の上部の両側に延長する梁４との外面５とに跨るように設置されて、Ｔ字の横部７の両方の端部８；８が、ピンを用いたピン接合やアンカーなどの固定具を用いた剛接合などの接合構造１９によって梁４に接合されるとともに、Ｔ字の縦部９の下端部１０が、接合構造２０によってベランダ床スラブ１５に接合される。
開口部１２は、例えば、集合住宅建物の各戸の室内からベランダ１１への出入口となるサッシュ枠で形成された開口部である。
Ｔ字形状に形成された耐震補強材３の大きさは、例えば、高さ＝２５００ｍｍ、横幅＝５０００ｍｍ、板厚＝１５０ｍｍ、横部７の高さ＝５００ｍｍ、縦部９の横幅＝８００ｍｍである。
耐震補強材３の高さＨは、下階のベランダ床スラブ１５の上面と上階のベランダ床スラブ１５の下面との間の距離Ｋより短い長さに形成される。耐震補強材３の高さＨが距離Ｋより短く形成されているので、ベランダ１１上に耐震補強材３をＴ字状態で搬入して耐震補強材３をそのままの状態で柱１３及び梁４の方向に移動させてから当該梁４やベランダ床スラブ１５とに接合できるため、耐震補強材３の接合作業が容易となる。
図４に示すように、各階の柱１３の１つ１つに耐震補強材３の縦部９を対応させて設置し、耐震補強材３の横部７の端部８；８を接合構造１９で梁４に接合するとともに、耐震補強材３の縦部９の下端部１０を接合構造２０でベランダ床スラブ１５に接合することによって、既存建物２のベランダ１１側においてベランダ１１の開口部１２を取り囲むように複数の耐震補強材３が取付られた建物１を構築できる。
従って、室内側から開口部１２を通して室外を見た場合に、耐震補強材３が開口部１２の前方に位置しないので、建物１の外から見た場合の外観を損なわせたり、室内から開口部１２を通した眺望を妨げてしまうことのない建物１を提供できる。また、耐震補強材３が開口部１２を塞がないので、耐震補強材３が開口部１２を通る人の出入を妨げることもない。
【０００８】
図１を参照し、既存建物２と耐震補強材３との接合構造２０を説明する。
接合構造２０は、ベランダ床スラブ１５の上面に固定された上プレート２１と、上プレート２１に設けられた接合部２２と、上プレート２１の接合部２２と耐震補強材３の下端部１０とを接合する接合手段２３と、ベランダ床スラブ１５の下面とベランダ床スラブ１５の階下の梁４とに跨るように設置されてベランダ床スラブ１５とベランダ床スラブ１５の階下の梁４とに固定された下プレート２４とを備える。
【０００９】
上プレート２１は、例えば長方形状の金属板により形成される。
接合部２２は、上プレート２１の上面より突出するよう設けられた耐震補強材３の下端部１０と同形状の金属突出物により形成される。即ち、金属突出物は、耐震補強材３の下端部１０の横幅Ｗ（図２参照）及び厚さＤと同じ横幅Ｗ及び厚さＤで、高さが、梁４に取り付けられた耐震補強材３の下端部１０とベランダ床スラブ１５の上面に固定された上プレート２１の上面との間の距離よりも小さい寸法の長方体に形成される。
接合手段２３は、耐震補強材３の下端部１０と接合部２２との周囲を囲む筒体２５と、耐震補強材３の下端部１０及び接合部２２と筒体２５との間に充填されて固化するモルタルやコンクリートのような固化材２６とにより形成される。
下プレート２４は、例えば、断面Ｌ字形のアングル金属板により形成される。即ち、互いに直角をなすベランダ床スラブ１５の下面に接合されるベランダ接合部２７とベランダ床スラブ１５の階下の梁４の外面５に接合される梁接合部２８とを備える。
【００１０】
下プレート２４のベランダ接合部２７及び上プレート２１のそれぞれには、板の表裏面を貫通するボルト通し孔３０が複数設けられる。下プレート２４の梁接合部２８には、板の表裏面を貫通するアンカー通し孔３９が複数設けられる。
上プレート２１と、ベランダ床スラブ１５を挟んで上プレート２１と対向する下プレート２４のベランダ接合部２７とが、複数の連結手段３１によって連結される。
連結手段３１は、上プレート２１とベランダ床スラブ１５と下プレート２４のベランダ接合部２７とを貫通するボルト通し孔３２と、ボルト通し孔３２を貫通するボルト３３と、ボルト３３を上プレート３に締結するナット３４と、ボルト３３を下プレートに締結するナット３５とを備える。ボルト通し孔３２は、下プレート２４及び上プレート２１に形成されたボルト通し孔３０とベランダ床スラブ１５に形成されたボルト通し孔３０とで形成される。図３では、７個の連結手段３１を備えた場合を図示している。
下プレート２４の梁接合部２８は、複数の固定手段３６によりベランダ床スラブ１５の階下の梁４に固定される。固定手段３６は、固定具としてのアンカー３７と、ハンマドリルやコア抜きマシンなどの図外の穿孔工具で梁４の外面５から内部に形成されたアンカー固定孔３８と、梁接合部２８に形成されたアンカー通し孔３９と、梁接合部２８をアンカー３７に固定するための締結具としてのナット４０とを備える。図２では、１０個の固定手段３６を備えた場合を図示している。
【００１１】
アンカー３７としては、例えば、一端部に袋を備えて袋内に樹脂接着剤が封入された樹脂系アンカーや、金属系アンカーを用いる。樹脂系アンカーは、アンカー固定孔に入れられて打撃が加えられと、アンカー固定孔の孔底とアンカーの一端部との圧力で袋が破れて孔内に充填される樹脂接着剤により孔に固定されるアンカーである。金属系アンカーは、アンカー固定孔に入れられて打撃が加えられると、一端部の金属がアンカー固定孔に係合されることによってアンカー固定孔に固定されるアンカーである。
【００１２】
次に、接合構造２０の施工手順を説明する。
まず、穿孔工具でベランダ床スラブ１５にボルト通し孔３０を形成するとともに梁４の外面５から内部にアンカー固定孔３８を形成する。アンカー固定孔３８にそれぞれアンカー３７を一端側から挿入して固定する。梁接合部２８のアンカー通し孔３９にアンカー３７の他端側を通した状態において、アンカー３７の他端部に形成されたねじ部にナット４０を取り付けてナット４０を梁接合部２８に締結することによって、梁接合板２８が梁４に接合される。これにより、ベランダ接合部２７のボルト通し孔３０とベランダ床スラブ１５のボルト通し孔３０とを一致させる。ベランダ床スラブ１５の上面に上プレート２１を載せ、上プレート２１のボルト通し孔３０とベランダ床スラブ１５のボルト通し孔３０とを一致させてから、上プレート２１とベランダ床スラブ１５と下プレート２４のベランダ接合部２７とを貫通するボルト通し孔３２内にボルト３３を挿入してボルト３３の両端にナット３４；３５を取付け、ナット３４をベランダ床スラブ１５の上面に締結するととともに、ナット３５をベランダ床スラブ１５の下面に締結する。これにより、上プレート２１と下プレート２４のベランダ接合部２７とがベランダ床スラブ１５を挟んだ状態で、上プレート２１がベランダ床スラブ１５の上面に固定され、ベランダ接合部２７がベランダ床スラブ１５の下面に固定される。
そして、接合構造１９によって耐震補強材３の横部７の端部８；８を梁４に接合し、耐震補強材３の下端部１０と上プレート２１の接合部２２とを接合手段２３により接合する。この際、耐震補強材３の下端部１０に、耐震補強材３の下端より突出しないように筒体２５をはめ込んでおく。尚、筒体２５が脱落しないように下端部１０の外周に着脱自在に取付られた係留手段としての図外のボルトなどで筒体２５を保持しておく。
耐震補強材３の横部７の端部８；８を梁４に接合した後に、係留手段としてのボルトを取り外して、筒体２５を落下させることで、筒体２５が、耐震補強材３の下端部１０と接合部２２との周囲を囲むように位置される。この状態において、耐震補強材３の下端部１０及び接合部２２と筒体２５との間に固化材２６を充填して固化させる。以上により、耐震補強材３の下端部１０と既存建物２との接合構造２０が構築される。
【００１３】
最良の形態１の接合構造２０によれば、ベランダ床スラブ１５の上面に取付けられた上プレート２１、接合部２２、接合手段２３を備えたので、耐震補強材３の下端部１０をベランダ床スラブ１５の上面に容易に接合できる。
上プレート２１と下プレート２４のベランダ接合部２７とでベランダ床スラブ１５を挟むように上プレート２１とベランダ接合部２７とがベランダ床スラブ１５に取付けられたので、ベランダ床スラブ１５を補強できる。
ベランダ床スラブ１５の下面と当該ベランダ床スラブ１５の階下の梁４とに跨るようにこれらベランダ床スラブ１５の下面と梁４とに取付けられた下プレート２４を備えたので、地震時にベランダ床スラブ１５に加わる水平力が下プレート２４を介して階下の梁４に伝達されるので、ベランダ床スラブ１５の負担を軽減できる。
接合手段２３が、筒体２５と固化材２６とにより形成されたので、耐震補強材３の下端部１０と接合部２２との多少の位置ずれを筒体２５で吸収でき、接合作業を容易にできる。
上プレート２１と下プレート２４のベランダ接合部２７とが、上プレート２１とベランダ床スラブ１５と下プレート２４とを貫通するボルト通し孔３２と、ボルト通し孔３２を貫通するボルト３３と、ナット３４；３５とを備えた連結手段３１によってベランダ床スラブ１５に連結されたので、上プレート２１とベランダ接合部２７とをベランダ床スラブ１５に同時に連結できるため、施工が容易となる。
【００１４】
最良の形態２
図５乃至図７を参照し、最良の形態２を説明する。図５は、既存建物と耐震補強材との接合構造を示す断面図（図６のＡ−Ａ断面図）、図６は、既存建物と耐震補強材との接合構造を示す正面図、図７は、ベランダ床スラブの上面に固定された上プレートを上から見た平面図である。
最良の形態２では、接合手段２３を、耐震補強材３の下端より突出するように耐震補強材３に設けられた上側接続板５１と、接合部２２を形成する下側接続板５２と、上側接続板５１の一側面５３と下側接続板５２の一側面５４とに跨るよう設置された一側連結板５５と、上側接続板５１の他側面５６と下側接続板５２の他側面５７とに跨るよう設置された他側連結板５８と、一側連結板５５と上側接続板５１と他側連結板５８とに跨って貫通する上側ボルト通し孔６１と、一側連結板５５と下側接続板５２と他側連結板５８とに跨って貫通する下側ボルト通し孔６２と、上側ボルト通し孔６１を貫通する上側ボルト６３と、上側ボルト６３の両端部に取り付けられて上側ボルト６３を一側連結板５５と他側連結板５８とに固定する上側ナット６５の締結と、下側ボルト通し孔６２を貫通する下側ボルト６８と、下側ボルト６８の両端部に取り付けられて下側ボルト６８を一側連結板と他側連結板とに固定する下側ナット７１の締結とにより構成してもよい。
この場合、一側連結部としての一側連結板５５と他側連結部としての他側連結板５８とによって上側接続５１と下側接続板５２とを挟み込む挟み板７４が形成され、挟み板７４と、上側ボルト通し孔６１、下側ボルト通し孔６２、上側ボルト６３と、上側ナット６５、下側ボルト６８、下側ナット７１とによって連結具７５が構成される。
尚、図６では、上側ボルト６３及び下側ボルト６８がそれぞれ４個づつ設けられた接合手段２３を図示している。尚、接合手段２３以外の構成は最良の形態１と同じである。
【００１５】
最良の形態２では、上側接続部としての上側接続板５１と下側接続部としての下側接続板５２とを挟み板７４で挟み込むようにして連結する連結具７５を備えたので、接合手段２３により接合された接合部の強度を大きくできる。
最良の形態２によれば、最良の形態１と同じ効果が得られる他、耐震補強材３の下端部１０とベランダ床スラブ１５との接合を、ボルトナットによる簡単な構成によってより容易に接合できる。
【００１６】
最良の形態３
図示しないが、接合手段２３は、上プレート２１の上面より突出するように設けられた接合部を構成する下側接続部と、耐震補強材３に耐震補強材３の下端よりも下方に突出するように設けられた上側接続部と、これら上側接続部と下側接続部とが互いに重ね合わされた状態でこれら重ね合わされた２つの接続部を貫通するボルト通し孔と、ボルト通し孔を貫通するボルトと、ボルトを接続部に固定するナットとで構成してもよい。この場合、ボルト通し孔とボルトとナットとにより連結具が構成される。
【００１７】
最良の形態４
図示しないが、梁接合部２８を梁４に固定する固定手段３６は、梁４の外面５と梁４の後面６（図１；図５参照）とに跨って貫通するねじ棒通し孔と、梁接合板に形成されたねじ棒通し孔と、これらねじ棒通し孔を貫通する高強度鋼材よりなるＰＣ鋼棒と呼ばれるねじ棒と、ねじ棒の両端に取付けられてねじ棒を梁４に固定するナットとで構成してもよい。
【産業上の利用可能性】
【００１８】
上プレート２１と下プレート２４のベランダ接合部２７とをボルト通し孔３２を貫通するボルト３３及びナット３４；３５によってベランダ床スラブ１５に取付けた構造を示したが、上プレート２１と下プレート２４のベランダ接合部２７とをそれぞれ別々のアンカーなどの固定具によってベランダ床スラブ１５に取付けてもよい。
Ｌ字形状やコ字形状、その他の形状に形成された耐震補強材３を用いてもよい。
耐震補強材３は、鉄板、鋼板、鋳鉄板などの金属により形成されたものを用いてもよい。
接合手段２３を筒体２５のみで形成しても良い。例えば、耐震補強材３の下端部１０及び上プレート２１の突出物からなる接合部２２が嵌合する筒径に形成された筒体２５を用いることで耐震補強材３の下端部１０と接合部２２との接合が可能となる。
接合手段２３を筒体２５と図外のボルトとにより形成しても良い。すなわち、筒体２５の筒壁に図外のねじ孔を形成しておき、ボルトを筒体２５の外側からねじ孔に挿入してねじ込み、ボルトの先端を耐震補強材３の下端部１０の外面及び接合部２２の外面に突き当てることによって接合できる。
固化材２６とボルトとを併用して接合してもよい。即ち、接合手段２３を筒体２５と固化材２６とボルトとにより形成しても良い。
上プレート２１と下プレート２４のベランダ接合部２７とを、別々のアンカーによってベランダ床スラブ１５に接合してもよい。
【図面の簡単な説明】
【００１９】
【図１】既存建物と耐震補強材との接合構造を示す断面図（最良の形態１）。
【図２】既存建物と耐震補強材との接合構造を示す正面図（最良の形態１）。
【図３】ベランダ床スラブの上面に固定された上プレートを上から見た平面図（最良の形態１）
【図４】耐震補強材が取付けられた建物をベランダ側から見た正面図（最良の形態１）。
【図５】既存建物と耐震補強材との接合構造を示す断面図（最良の形態２）。
【図６】既存建物と耐震補強材との接合構造を示す正面図（最良の形態２）。
【図７】ベランダ床スラブの上面に固定された上プレートを上から見た平面図（最良の形態２）
【符号の説明】
【００２０】
１  建物、２  既存建物、３  耐震補強材、４  梁、
１０  耐震補強材の下端部、１１  ベランダ、
１５  ベランダ床スラブ（ベランダの床）、２０  接合構造、２１  上プレート、２２  接合部、２３  接合手段、２４  下プレート、
２５  筒体、２６  固化材、３１  連結手段、３２  ボルト通し孔、
３３  ボルト、３４；３５  ナット、５１  上側接続板（上側接続部）、
５２  下側接続板（下側接続部）、５５  一側連結板（一側連結部）、
５８  他側連結板（他側連結部）、６１  上側ボルト通し孔、
６２  下側ボルト通し孔、６３  上側ボルト、６５  上側ナット、
６８  下側ボルト、７１  下側ナット、７４  挟み板、７５  連結具。
【図１】
2008138410.tif 000003
【図２】
2008138410.tif 000004
【図３】
2008138410.tif 000005
【図４】
2008138410.tif 000006
【図５】
2008138410.tif 000007
【図６】
2008138410.tif 000008
【図７】
2008138410.tif 000009